(57)【要約】【課題】携帯端末に反り等が生じた場合であっても、防水機能の低下を防止することができる携帯端末を提供することを目的とする。【解決手段】携帯電話機１は、金属製の第１キャビネット７と、金属板１３を備える第２キャビネット９と、第１キャビネット７と第２キャビネット９との間に設けられ、孔部３２ａが形成された防水シート３２と、防水シート３２の第１キャビネット７側に設けられ、第１キャビネット７に接触するとともに、孔部３２ａに配置された導電性部材３５と、導電性部材３５と金属板１３との間に設けられ、金属板１３に電気的に接続されるとともに、孔部３２ａに配置されて、導電性部材３５と接触する導電性ガスケット３７とを備え、導電性部材３５と導電性ガスケット３７とにより、第１キャビネット７と金属板１３とが電気的に接続されている。【選択図】図４
2015065557.tif 000002
【特許請求の範囲】
【請求項１】
金属製、または金属化処理が施された樹脂製の第１キャビネットと、
前記第１キャビネットに対向して配置された第２キャビネットと、
前記第１キャビネットと前記第２キャビネットとの間に設けられ、孔部が形成された防水シートと、
前記第２キャビネットと前記防水シートとの間に設けられた金属板またはプリント基板と、
前記防水シートの前記第１キャビネット側、または前記第２キャビネット側に設けられ、前記第１キャビネットに接触するとともに、前記孔部に配置された導電性部材と、
前記導電性部材と、前記金属板または前記プリント基板との間に設けられ、該金属板または前記プリント基板に電気的に接続されるとともに、前記孔部に配置されて、前記導電性部材と接触する導電性ガスケットとを備え、
前記導電性部材と前記導電性ガスケットとにより、前記第１キャビネットと前記金属板または前記プリント基板とが電気的に接続されることを特徴とする携帯端末。
【請求項２】
前記導電性部材は両面テープを備えるとともに、該両面テープが前記導電性部材と前記防水シートとの間に設けられ、前記導電性部材は、前記両面テープにより、前記防水シートに貼り付けられていることを特徴とする請求項１に記載の携帯端末。
【請求項３】
前記導電性部材が、
前記第１キャビネットと前記防水シートとの間、または前記第２キャビネットと前記防水シートとの間に設けられた他の防水シートと、
該他の防水シートの、前記第1キャビネット側の表面に設けられ、前記孔部において、前記第１キャビネットに接触する第１導電性部材と、
前記他の防水シートの、前記導電性ガスケット側の表面に設けられ、前記孔部において、前記導電性ガスケットに接触する第２導電性部材と
により構成され、
前記第１導電性部材と前記第２導電性部材とが電気的に接続されていることを特徴とする請求項１または請求項２に記載の携帯端末。
【請求項４】
前記導電性部材が折り曲げられるとともに、該導電性部材に挟持された接着部材に貼り付けられていることを特徴とする請求項１または請求項２に記載の携帯端末。
【発明の詳細な説明】
【技術分野】
【０００１】
本発明は、通信携帯端末に関し、特に、防水機能を有する携帯端末に関する。
【背景技術】
【０００２】
従来、筐体内部への水分の浸入を抑制して、防水性能を向上させるためのシール部材を備えた携帯端末が知られている。
【０００３】
より具体的には、この携帯端末は、筐体に収容された内部回路と、筐体の外部に配置され、内部回路に電気的に接続される外部部品とを備えている。そして、筐体には、筐体の内部と外部とを連通させる貫通孔が設けられるとともに、この貫通孔は、導電性を有するシール部材により封止され、内部回路と外部部品が、シール部材を介して電気的に接続されている。また、外部部品とシール部材との間に、外部部品とシール部材とを導通させるとともに、シール部材を筐体の内側方向に付勢する外部弾性導通部材が設けられている。
【０００４】
そして、このような構成により、シール部材を貫通する部材が存在しないため、筐体の内部への水分の浸入を抑制して、従来の携帯端末に比し、防水性能を向上させることができると記載されている（例えば、特許文献１参照）。
【特許文献１】特開２０１０−３５０４５号公報
【発明の開示】
【発明が解決しようとする課題】
【０００５】
しかし、上記従来の携帯端末においては、上述のごとく、剛性の高い部品（即ち、筐体と外部部品）により防水部が構成されているため、部品（携帯電話）の反り等により、防水部の防水機能が低下するという問題があった。
【０００６】
本発明は、かかる点に鑑みてなされたものであり、その目的とするところは、携帯端末に反り等が生じた場合であっても、防水機能の低下を防止することができる携帯端末を提供することにある。
【課題を解決するための手段】
【０００７】
上記の目的を達成するために、本発明の携帯端末は、金属製、または金属化処理が施された樹脂製の第１キャビネットと、第１キャビネットに対向して配置された第２キャビネットと、第１キャビネットと第２キャビネットとの間に設けられ、孔部が形成された防水シートと、第２キャビネットと防水シートとの間に設けられた金属板またはプリント基板と、防水シートの第１キャビネット側、または第２キャビネット側に設けられ、第１キャビネットに接触するとともに、孔部に配置された導電性部材と、導電性部材と、金属板またはプリント基板との間に設けられ、金属板またはプリント基板に電気的に接続されるとともに、孔部に配置されて、導電性部材と接触する導電性ガスケットとを備え、導電性部材と導電性ガスケットとにより、第１キャビネットと金属板またはプリント基板とが電気的に接続されることを特徴とする。
【０００８】
同構成によれば、シート形状を有する防水シートを備えているため、防水シートの剛性を低下させることが可能になる。従って、防水シートが柔軟性（追従性）を有することになるため、携帯端末の反り等が生じた場合であっても、防水機能の低下を防止することができる。
【０００９】
また、防水シートに形成された孔部を介して導電性部材と導電性ガスケットとを接触させ、導電性部材と導電性ガスケットを介して、第１キャビネットと金属板またはプリント基板とを電気的に接続する構成としている。従って、第１キャビネットに対する導電性ガスケットの荷重を小さくすることができるため、第１キャビネットの剥離という不都合を生じることなく、第１キャビネットと金属板またはプリント基板とを電気的に接続することが可能になる。
【発明の効果】
【００１０】
本発明によれば、携帯端末の反り等が生じた場合であっても、防水機能の低下を防止することができる。
【図面の簡単な説明】
【００１１】
【図１】本発明の第１の実施形態に係る携帯電話機の閉じた状態を示す斜視図である。
【図２】本発明の第１の実施形態に係る携帯電話機の開いた状態を示す斜視図である。
【図３】本発明の第１の実施形態に係る携帯電話機における第１筐体の分解斜視図である。
【図４】図３のＡ−Ａ断面図である。
【図５】本発明の第１の実施形態に係る携帯電話機における防水部材を説明するための分解斜視図である。
【図６】本発明の第１の実施形態に係る携帯電話機における導電性ガスケットの断面図である。
【図７】本発明の第２の実施形態に係る携帯電話機における第１筐体の部分断面図である。
【図８】本発明の第３の実施形態に係る携帯電話機における第１筐体の部分断面図である。
【図９】本発明の第３の実施形態に係る携帯電話機における導電性部材の断面図である。
【発明を実施するための最良の形態】
【００１２】
以下、本発明の実施形態を図面に基づいて説明する。
【００１３】
（第１の実施形態）
図１及び図２は本発明の第１の実施形態に係る携帯端末である折畳み式携帯電話機を示す。この携帯電話機１は、液晶ディスプレイや有機ＥＬディスプレイなどの表示装置２を内蔵する矩形板状の第１筐体３と、操作部４を内蔵する矩形板状の第２筐体５とを備えている。第１筐体３と第２筐体５とは、ヒンジ部６によって開閉可能に連結され、直方体に折り畳まれた状態で携帯可能となっている。
【００１４】
第１筐体３は、図３、図４に示すように、第１キャビネット７と、回路基板８が設けられ、第１キャビネット７に対向して配置された第２キャビネット９と、第１キャビネット７と第２キャビネット９との間に設けられ、シート形状を有する防水部材１０とを備えている。
【００１５】
回路基板８は、図３に示すように、基板８ａと、この基板８ａに取り付けられた回路部品８ｂとにより構成されている。
【００１６】
第１キャビネット７は、例えば、アルミニウム等の金属により形成されている。また、第２キャビネット９は、例えば、ポリカーボネート樹脂、ＡＢＳ樹脂、ポリアミド樹脂等の樹脂により形成されている。
【００１７】
なお、上述の第１キャビネット７を、第２キャビネット９と同様に、樹脂により形成しても良い。この場合、第１キャビネット７の裏側（図３に示す矢印Ｘ側）に、メッキ処理や蒸着処理、インモールド成形、あるいは金属箔等を使用して金属化処理が施される。
【００１８】
また、第２キャビネット９は、サブ表示用の表示窓２０と、回路基板８に接続されたサブ表示用の表示装置２１とを備えている。そして、図３に示すように、第１キャビネット７には、サブ表示用の窓孔部７ａが形成されており、このサブ表示用の窓孔部７ａからサブ表示用の表示窓２０が露出する構成となっている。
【００１９】
なお、表示装置２１としては、例えば、液晶表示装置や有機ＥＬ表示装置等を使用することができる。
【００２０】
また、第２キャビネット９は、第２キャビネット９を形成する樹脂と一体的に形成された金属板１３を備えている。この金属板１３は、携帯電話機１の剛性を向上させるためのものである。
【００２１】
なお、この金属板１３は、安価かつ汎用性のある材料により、携帯電話機１の剛性を向上させるとの観点から、例えば、ステンレス（例えば、ＳＵＳ３０４）、アルミニウム、及びマグネシウム等の金属により形成されており、これらの金属のうち、耐久性及び強度が高いステンレスを使用することが好ましい。
【００２２】
また、防水部材１０は、図５に示すように、第１キャビネット７側に設けられ、該第１キャビネット７に貼り付けられる第１貼付部材３０と、第２キャビネット側に設けられ、該第２キャビネット９に貼り付けられるとともに、開口部３１ａが形成された第２貼付部材３１と、第１貼付部材３０と第２貼付部材３１とにより挟持され、防水機能を有する防水シート３２とにより構成されている。
【００２３】
そして、図３に示すように、防水部材１０は、第１貼付部材３０と第２貼付部材３１と防水シート３２とを重ね合わせることにより構成されている。
【００２４】
第１及び第２貼付部材３０，３１は、例えば、防水性を有する両面テープにより形成されている。また、第１及び第２貼付部材３０，３１は、シート形状を有しており、その厚みは薄く（例えば、０．１〜０．３ｍｍ）形成されている。
【００２５】
また、防水シート３２は、例えば、ポリエチレンテレフタレート樹脂やポリカーボネート樹脂により形成されている。また、防水シート３２は、シート形状を有しており、その厚みは薄く（例えば、０．１〜０．３ｍｍ）形成されている。
【００２６】
そして、本実施形態においては、上述のごとく、防水シート３２がシート形状を有しているため、防水シート３２の剛性を低下させることが可能になる。従って、防水シート３２が柔軟性（追従性）を有することになるため、携帯電話機１の反り等が生じた場合であっても、防水機能の低下を防止することができる。
【００２７】
なお、図５に示すように、第１貼付部材３０には、サブ表示用の孔部３０ｂが形成されている。
【００２８】
また、本実施形態においては、図３、図４に示すように、第１キャビネット７と防水部材１０（防水シート３２）との間（即ち、防水シート３２の第１キャビネット７側）に、複数個（本実施形態においては５個）の導電性部材３５が設けられている。
【００２９】
この導電性部材３５は、例えば、アルミニウム箔、銅箔、インジウム錫酸化物（ＩＴＯ）箔等の導電性を有する材料により形成されており、例えば、０．０５〜０．２ｍｍの厚みを有している。
【００３０】
また、導電性部材３５は、第１貼付部材３０に形成された孔部３０ａを塞ぐように、防水シート３２に取り付けられるとともに、第１キャビネット７に接触する構成となっている。
【００３１】
なお、図３に示すように、導電性部材３５には、接着部材である両面テープ３６が設けられるとともに、図４に示すように、当該両面テープ３６が導電性部材３５と防水シート３２との間に設けられている。そして、導電性部材３５は、この両面テープ３６により、防水シート３２に貼り付けられる構成となっている。
【００３２】
また、図４に示すように、導電性部材３５と金属板１３との間には、複数個（本実施形態においては５個）の導電性ガスケット３７が設けられている。
【００３３】
この導電性ガスケット３７は、図６に示すように、矩形板状のクッション３７ａと、クッション３７ａの周囲に巻き付けられた導電布３７ｂとを備えている。
【００３４】
このクッション３７ａは、例えば、ポリウレタン等の材料により形成されており、例えば、１〜１０ｍｍの厚みを有している。
【００３５】
また、導電布３７ｂは、上述の導電性部材３５を形成する材料と同様の材料により形成されており、例えば、０．０５〜０．２ｍｍの厚みを有している。
【００３６】
そして、防水シート３２には、導電性ガスケット３７を挿通するための孔部３２ａが形成されており、導電性ガスケット３７は孔部３２ａに配置されている。そして、当該孔部３２ａを介して、導電性ガスケット３７が導電性部材３５と接触する構成となっている。
【００３７】
このように、防水シート３２に形成された孔部３２ａを介して接触する導電性部材３５と導電性ガスケット３７により、金属製の第１キャビネット７と金属板１３とが電気的に接続される構成となっている。
【００３８】
そして、本実施形態においては、上述のごとく、シート形状を有する防水部材１０を備えているため、防水部材１０を介して、第１キャビネット７と金属板１３とを電気的に接続する構成であっても、携帯電話機１の防水機能の低下を防止することができる。
【００３９】
なお、図６に示すように、導電布３７ｂには、導電性を有する両面テープ３８が設けられている。そして、図４に示すように、導電性ガスケット３７は、この両面テープ３８により、金属板１３に貼り付けられている。
【００４０】
以上に説明した本実施形態においては、以下の効果を得ることができる。
【００４１】
（１）本実施形態においては、防水機能を有する防水シート３２が、シート形状を有しているため、防水シート３２の剛性を低下させることが可能になる。従って、防水シート３２が柔軟性（追従性）を有することになるため、携帯電話機１の反り等が生じた場合であっても、防水機能の低下を防止することができる。
【００４２】
（２）また、本実施形態においては、防水シート３２に形成された孔部３２ａを介して導電性部材３５と導電性ガスケット３７とを接触させ、導電性部材３５と導電性ガスケット３７を介して、第１キャビネット７と金属板１３とを電気的に接続する構成としている。従って、第１キャビネット７に対する導電性ガスケット３７の荷重を小さくすることができるため、第１キャビネット７の剥離という不都合を生じることなく、第１キャビネット７と金属板１３とを電気的に接続することが可能になる。
【００４３】
（３）また、本実施形態においては、導電性部材３５と防水シート３２との間に両面テープ３６を設けるとともに、この両面テープ３６により、導電性部材３５を防水シート３２に貼り付ける構成としている。従って、簡単な構成で、導電性部材３５を防水シートに貼り付けることが可能になる。
【００４４】
（第２の実施形態）
次に、本発明の第２の実施形態について説明する。図７は、本発明の第２の実施形態に係る折畳み式携帯電話機の第１筐体を示す断面図であり、図４に相当する図である。なお、上記第１の実施形態と同様の構成部分については同一の符号を付してその説明を省略する。
【００４５】
本実施形態の第１筐体３においては、上述の導電性部材３５の代わりに、図７に示すように、防水シート４１と第１及び第２導電性部材４２，４３とにより構成された導電性部材４０を設ける点に特徴がある。
【００４６】
より具体的には、この導電性部材４０は、第１キャビネット７と防水シート３２との間に設けられた防水シート４１と、防水シート４１の、第1キャビネット７側（図７に示す矢印Ｂ側）の表面に設けられ、孔部３２ａにおいて、第１キャビネット７に接触する第１導電性部材４２と、防水シート４１の、導電性ガスケット３７側（図７に示す矢印Ｃ側）の表面に設けられ、孔部３２ａにおいて、導電性ガスケット３７に接触する第２導電性部材４３により構成されている。
【００４７】
そして、図７に示すように、防水シート４１に形成されたスルーホール４５を介して、第１導電性部材４２と第２導電性部材４３とが電気的に接続される構成となっている。
【００４８】
このような構成により、上述の第１の実施形態の場合と同様に、導電性部材４０と導電性ガスケット３７とにより、第１キャビネット７と金属板１３とを電気的に接続することが可能になり、上述の（１）〜（３）の効果と同様の効果を得ることが可能になる。
【００４９】
なお、防水シート４１は、上述の防水シート３２を形成する材料と同様の材料により形成されており、その厚みは薄く（例えば、０．１〜０．３ｍｍ）形成されている。
【００５０】
また、本実施形態においては、図７に示すように、上述の両面テープ３６が、防水シート４１と防水シート３２との間に設けられており、防水シート４１は、この両面テープ３６により、防水シート３２に貼り付けられる構成となっている。
【００５１】
また、第１及び第２導電性部材４２，４３は、上述の導電性部材３５を形成する材料と同様の材料により形成されており、例えば、０．０５〜０．２ｍｍの厚みを有している。
【００５２】
また、第１及び第２導電性部材４２，４３は、例えば、銀等を含む導電性インクを用いて、防水シート４１の表面上に印刷形成する方法や、ニッケルや銅等の導電性材料を使用して、防水シート４１の表面に対してメッキ処理を行うことにより形成することができる。なお、第１及び第２導電性部材４２，４３は、印刷形成する場合は、例えば、１〜１０μｍの厚みを有しており、メッキ処理により形成する場合は、例えば、１０〜５０μｍの厚みを有している。
【００５３】
また、図７に示すように、防水シート４１を貫通するスルーホール４５には、銀フィラー等を含む導電性ペースト材料や、ニッケルや銅等のメッキ材料等の導電性材料４６が設けられており、この導電性材料４６を介して、第１及び第２導電性部材４２，４３が電気的に接続される構成となっている。
【００５４】
なお、図７に示すように、防水シート４１に形成されたスルーホール４５に、例えば、金属製のハトメ４７を設け、当該ハトメ４７を介して、第１及び第２導電性部材４２，４３を電気的に接続する構成としてもよい。
【００５５】
また、上記ハトメ４７が防水性を有しない場合は、図７に示すように、ハトメ４７に形成されている隙間を充填剤４８等により埋める構成とすることができる。
【００５６】
また、同様に、スルーホール４５に導電性材料４６を設けた場合に、スルーホール４５に隙間が形成されている場合は、当該隙間を充填剤４８等により埋める構成とすることができる。
【００５７】
（第３の実施形態）
次に、本発明の第３の実施形態について説明する。図８は、本発明の第３の実施形態に係る折畳み式携帯電話機の第１筐体を示す断面図であり、図４に相当する図である。なお、上記第１の実施形態と同様の構成部分については同一の符号を付してその説明を省略する。
【００５８】
本実施形態の第１筐体３においては、図８に示すように、導電性部材５１が折り曲げられるとともに、導電性部材５１に挟持された接着部材である両面テープ５０に貼り付けられている点に特徴がある。
【００５９】
より具体的には、本実施形態における導電性部材５１は、図９（ａ）に示すように、まず、導電性部材５１の片面に両面テープ５０を設け、次いで、導電性部材５１を、両面テープ５０を介して折り曲げる（即ち、図９（ａ）に示す矢印Ｄの方向に折り曲げる）ことにより、図９（ｂ）に示すように、導電性部材５１の折り曲げ部分を両面テープ５０に貼り付けたものである。
【００６０】
そして、このような構成により、上述の第１の実施形態の場合と同様に、導電性部材５１と導電性ガスケット３７とにより、第１キャビネット７と金属板１３とを電気的に接続することが可能になり、上述の（１）〜（３）の効果と同様の効果を得ることが可能になる。
【００６１】
また、本実施形態においては、上述のごとく、導電性部材５１を、両面テープ５０を介して折り曲げる構成としているため、特に、片面（図９に示す表面５１ａ）のみに導電性を有する導電性部材５１を使用することが可能になる。
【００６２】
なお、上記実施形態は以下のように変更しても良い。
【００６３】
上記実施形態においては、金属板１３と第２キャビネット９を形成する樹脂とを一体的に形成する構成としたが、当該金属板１３を第２キャビネット９と別部材としてもよい。また、金属板１３の代わりに、大きなグランドパターンを有するプリント基板を使用してもよい。この場合、金属板１３、またはプリント基板は、第２キャビネット９と防水シート３２との間に設けることができる。
【００６４】
また、上記実施形態においては、導電性部材３５を、防水シート３２の第１キャビネット７側に設ける構成としたが、防水シート３２と第２キャビネットとの間（即ち、防水シート３２の第２キャビネット９側）に、導電性部材３５を設ける構成としてもよい。防水シート３２は薄く、また、導電性部材３５も薄くて柔軟性を有するため、導電性部材３５を、防水シート３２の第２キャビネット９側に設けた場合であっても、導電性部材３５を第１キャビネット７に密着させることができる。
【００６５】
また、上記実施形態においては、防水シート４１を第１キャビネット７と防水シート３２との間に設ける構成としたが、第２キャビネット９と防水シート３２との間に、防水シート４１を設ける構成としてもよい。また、同様に、第２キャビネット９と防水シート３２との間に、導電性部材５１を設ける構成としてもよい。
【００６６】
また、実施形態においては、第１キャビネット７と金属板１３とを電気的に接続する構成としたが、金属板１３の代わりに、フレキシブルプリント配線板等の回路基板と第１キャビネットを電気的に接続する構成としてもよい。
【００６７】
また、上記実施形態では、携帯端末は、携帯電話機としたが、ＰＨＳ（Personal Handy-phone System）、ＰＤＡ(Personal Digital Assistant)、スマートフォン、パソコン、モバイルツール、電子辞書、電卓、ゲーム機等であってもよい。
【符号の説明】
【００６８】
１    折畳み式携帯電話機（携帯端末）
２    表示装置
３    第１筐体
５    第２筐体
７    第１キャビネット
８    回路基板
９    第２キャビネット
１０    防水部材
１３    金属板
３０    第１貼付部材
３１    第２貼付部材
３２    防水シート
３２ａ    孔部
３５    導電性部材
３６    両面テープ
３７    導電性ガスケット
３７ａ    クッション
３７ｂ    導電布
３８    両面テープ
４０    導電性部材
４１    防水シート（他の防水シート）
４２    第１導電性部材
４３    第２導電性部材
４５    スルーホール
４６    導電性材料
４７    ハトメ
４８    充填剤
５０    両面テープ
５１  導電性部材
【図１】
2015065557.tif 000003
【図２】
2015065557.tif 000004
【図３】
2015065557.tif 000005
【図４】
2015065557.tif 000006
【図５】
2015065557.tif 000007
【図６】
2015065557.tif 000008
【図７】
2015065557.tif 000009
【図８】
2015065557.tif 000010
【図９】
2015065557.tif 000011